(57)【特許請求の範囲】
【請求項１】
モータ、減速機及び制御回路が内蔵される半中空型アクチュエータモジュールであって、
前記モータに連結される駆動側（ａｃｔｉｖｅ）シャフトが貫通結合される第１のハウジングと、
前記第１のハウジングに結合され、前記駆動側シャフトに対応する位置にアイドラ部が結合される第２のハウジングとを含み、
前記アイドラ部は、
内部に中空部が形成される円板状の被動側（ｐａｓｓｉｖｅ）アイドラと、
中心部に向かって陥没して形成される貫通溝を外周面に有し、前記被動側アイドラを前記第２のハウジングに回転可能に固定する結合部材とを含み、
前記中空部と、前記貫通溝とを介して、前記第２のハウジング内にケーブルが通され、
前記第２のハウジングは、中心部に向かって陥没した形状の移動溝が前記貫通溝に対応する位置に形成され、
前記ケーブルは、前記移動溝を介して前記第２のハウジング内に通される
ことを特徴とする半中空型アクチュエータモジュール。
【請求項２】
前記結合部材は、前記被動側アイドラの中空部に挿入され、前記第２のハウジングに結合される
請求項１に記載の半中空型アクチュエータモジュール。
【請求項３】
前記被動側アイドラは、
結合孔が備えられ、内部に中空部が形成される円板と、
前記円板の内周面から垂直に延びて形成される係止突起とを含み、
前記結合部材は、
長手方向に中空部が形成されて前記第２のハウジングに結合され、前記貫通溝が形成される円筒と、
前記貫通溝が形成される領域を除く前記円筒の一端から垂直に延びる離脱防止段差とを含む
請求項２に記載の半中空型アクチュエータモジュール。
【請求項４】
前記第１のハウジングの側面に、ケーブルの端部のコネクタに接続可能な端子部が形成される
請求項１に記載の半中空型アクチュエータモジュール。
【請求項５】
前記第２のハウジングの側面に貫通部が形成され、前記貫通部を介して、前記端子部に接続されるケーブルが前記第２のハウジング内に通される
請求項４に記載の半中空型アクチュエータモジュール。
【請求項６】
前記端子部は、前記第１のハウジングの両側面にそれぞれ備えられる
請求項４に記載の半中空型アクチュエータモジュール。
【請求項７】
前記第２のハウジングは、
前記結合部材が結合される上段部と、
前記上段部と同じ高さに備えられる下段部と、
前記上段部と前記下段部との間に備えられ、前記第１のハウジングに向かって凹んだ形状の上下段連結部とを含む
請求項４に記載の半中空型アクチュエータモジュール。
【請求項８】
前記上段部は、前記アイドラ部が装着される位置に装着溝が前記第１のハウジングに向かって凹んだ形状に形成される
請求項７に記載の半中空型アクチュエータモジュール。
【請求項９】
前記上下段連結部に結合され、前記端子部に接続されるケーブルの端部のコネクタの脱落を防止する側面突出部を有するカバー部をさらに含む
請求項７に記載の半中空型アクチュエータモジュール。
【請求項１０】
前記駆動側シャフトと前記被動側アイドラは、同軸上に備えられる
請求項１に記載の半中空型アクチュエータモジュール。
【発明の詳細な説明】
【技術分野】
【０００１】
本発明は、半中空型アクチュエータモジュールに関し、特にモータ及び減速機を内蔵するアクチュエータモジュールにおいて、配線（ケーブル）の接続構造を改善することにより、他のアクチュエータモジュールやモジュール連結部材などに結合する際に配線が絡まる問題を解決した半中空型アクチュエータモジュールに関する。
【背景技術】
【０００２】
通常、アクチュエータモジュールは、駆動装置（モータ）と減速機を内蔵し、一般産業用はもとより家庭用や教育用としても広く用いられている。特に、複数のアクチュエータモジュールを結合すると、複雑な動作が行える多関節ロボットを実現できることから、近年、さらに注目を集めている。
【０００３】
図１は、規格化されたアクチュエータモジュールとそれらモジュールの連結部材を複数繰り返し結合してヒューマノイド型多関節ロボットを実現した実際の写真である（特許文献１を参照）。このようなロボットにおいては、各アクチュエータモジュールを所定の規則に従って制御しなければならないので、全てのアクチュエータモジュールに電源及び信号伝達のための配線を接続しなければならない。
【０００４】
図２は、アクチュエータモジュール（下部）とモジュール連結部材（上部）を結合した状態を示す。アクチュエータモジュールを複数結合するためには、アクチュエータモジュールの駆動軸を中心にモジュール連結部材に連結しなければならず、このような複数のアクチュエータモジュール及びモジュール連結部材の結合構造が繰り返されても、図１の形態又は作製者が所望する様々な形態のロボットを作製することができる。
【０００５】
アクチュエータモジュールをモジュール連結部材又は他のアクチュエータモジュールに連結する場合、配線の処理が重要となる。特に、複数のアクチュエータモジュールを中央処理装置又は中央制御器で制御する場合は、制御及び検知のための複数の配線が必要となるが、その配線の処理がアクチュエータモジュールの駆動を妨げないようにしなければならない。また、配線が複雑に絡まっていると、外観もよくない。
【０００６】
特に、ロボットを構成するアクチュエータモジュールが多くなると、配線処理がさらに困難になるので、それによってアクチュエータの駆動範囲が制限されたり、ロボットの構造を多様化できなくなるなどの問題が生じることもある。
【０００７】
図１及び図２に示すアクチュエータモジュールにおいては、アクチュエータモジュールの外郭を構成するハウジングの各側面に配線が通過する貫通孔を有する突出構造物が設けられているが、このような構造物を用いる場合も、依然としてアクチュエータモジュールの駆動範囲（回動範囲）が制限され、また突出構造物自体が複数のアクチュエータモジュールを連結する際に障害物として作用することもある。さらに、外観が優れない印象を与えることもある。図１に示すヒューマノイド型ロボットの場合、腕部や脚部から外部に接続される配線がロボットの駆動を妨げていることが分かる。
【０００８】
なお、前記では家庭用又は教育用ロボットの例を挙げてアクチュエータモジュールの配線処理問題について言及したが、前記問題はその大小の差はあるものの、全てのアクチュエータモジュールが必然的に有する問題である。よって、アクチュエータモジュールの配線処理問題を解決できる改善された形態のモジュール構造が求められている。
【発明の概要】
【発明が解決しようとする課題】
【０００９】
本発明が解決しようとする技術的課題は、アクチュエータモジュールの配線処理問題を解決できる新規なモジュール構造を提供することにある。
【００１０】
本発明が解決しようとする技術的課題は、前述した技術的課題に限定されるものではなく、言及していない他の技術的課題は、以下の記載から本発明の属する技術分野における通常の知識を有する者に明確に理解される。
【課題を解決するための手段】
【００１１】
前記技術的課題を達成するために、本発明の一実施形態は、半中空型アクチュエータモジュールを提供する。
【００１２】
本発明の実施形態において、モータ、減速機及び制御回路が内蔵されてもよい半中空型アクチュエータモジュールは、モータに連結される駆動側（ａｃｔｉｖｅ）シャフトが貫通結合される第１のハウジングと、第１のハウジングに結合され、駆動側シャフトに対応する位置にアイドラ部が結合される第２のハウジングとを含み、アイドラ部は、内部に中空部が形成される円板状の被動側（ｐａｓｓｉｖｅ）アイドラと、中心部に向かって陥没して形成される貫通溝を外周面に有し、アイドラを第２のハウジングに回転可能に固定する結合部材とを含み、中空部と、貫通溝とを介して、第２のハウジング内にケーブルが通されることを特徴とする。
【００１３】
本発明の実施形態において、結合部材は、アイドラの中空部に挿入され、第２のハウジングに結合されてもよい。
【００１４】
本発明の実施形態において、第２のハウジングは、内側に向かって凹状となる移動溝が貫通溝に対応する位置に形成され、ケーブルは、移動溝を介して第２のハウジング内に通されてもよい。
【００１５】
本発明の実施形態において、アイドラは、結合孔が備えられ、内部に中空部が形成される円板と、円板の内周面から垂直に延びて形成される係止突起とを含み、結合部材は、長手方向に中空部が形成されて第２のハウジングに結合され、貫通溝が形成される円筒と、貫通溝が形成される領域を除く円筒の一端から垂直に延びる離脱防止段差とを含んでもよい。
【００１６】
本発明の実施形態において、第１のハウジングの側面に、ケーブルの端部のコネクタに接続可能な端子部が形成されてもよい。
【００１７】
本発明の実施形態において、第２のハウジングの側面に貫通部が形成され、貫通部を介して、端子部に接続されるケーブルが第２のハウジング内に通されてもよい。
【００１８】
本発明の実施形態において、端子部は、第１のハウジングの両側面にそれぞれ備えられてもよい。
【００１９】
本発明の実施形態において、第２のハウジングは、結合部材が結合される上段部と、上段部と同じ高さに備えられる下段部と、上段部と下段部との間に備えられ、内側に向かって凹状に形成される上下段連結部とを含んでもよい。
【００２０】
本発明の実施形態において、上段部は、アイドラ部が装着される位置に装着溝が内側に向かって凹状に形成されてもよい。
【００２１】
本発明の実施形態において、上下段連結部に結合され、端子部に接続されるケーブルの端部のコネクタの脱落を防止する側面突出部を有するカバー部をさらに含んでもよい。
【００２２】
本発明の実施形態において、シャフトとアイドラは、同軸上に備えられてもよい。
【発明の効果】
【００２３】
本発明の実施形態によれば、アクチュエータモジュールの配線処理問題を解決できる新規なモジュール構造を提供することができる。このようなアクチュエータモジュール構造により、配線の絡みや断線問題が予防され、さらに通信不良の問題も減少する。さらに、アクチュエータモジュールの外観の審美性が向上する。これらの効果は、特にアクチュエータモジュールを複数繰り返し結合して多関節ロボットを作製する場合にさらに有用になる。
【００２４】
本発明の効果は、これらに限定されるものではなく、本発明の詳細な説明又は特許請求の範囲に記載されている発明の構成から推論できるあらゆる効果が含まれるものと理解されるべきである。
【図面の簡単な説明】
【００２５】
【図１】従来のアクチュエータモジュールを用いたヒューマノイド型多関節ロボットの写真
【図２】従来のアクチュエータモジュールとモジュール連結部材を結合した状態を示す説明図
【図３】本発明の一実施形態による半中空型アクチュエータモジュールの斜視図
【図４】本発明の一実施形態による半中空型アクチュエータモジュールの側面図
【図５】本発明の一実施形態による半中空型アクチュエータモジュールの分解斜視図
【図６】本発明の一実施形態による半中空型アクチュエータモジュールにケーブルを接続した状態を示す斜視図
【図７】本発明の一実施形態による半中空型アクチュエータモジュールとモジュール連結部材を結合した状態を示す斜視図
【図８】本発明の一実施形態による半中空型アクチュエータモジュールとカバー部を示す分解斜視図
【図９】本発明の一実施形態による半中空型アクチュエータモジュールとカバー部を結合した状態を示す斜視図
【発明を実施するための形態】
【００２６】
以下、添付図面を参照して本発明について説明する。しかしながら、本発明は、様々な異なる形態で実現され得るので、以下に説明する実施形態に限定されるものではない。また、図面において、本発明を明確に説明するために説明に関係のない部分は省略し、明細書全体を通して類似の部分には類似の符号を付した。
【００２７】
明細書全体を通して、ある一部分が他の部分と「連結（接続、接触、結合）」されているという場合、それには「直接連結」されているものだけでなく、その間にさらに他の部材を介して「間接的に連結」されているものも含まれる。また、ある一部分がある構成要素を「含む」という場合、それは特に断らない限り他の構成要素を除外するものではなく、他の構成要素をさらに備えてもよいことを意味するものである。
【００２８】
本発明に用いられる用語は、単に特定の実施形態について説明するために用いられるものであり、本発明を限定しようとする意図はない。単数の表現には、文脈からみて明らかに他の意味を有さない限り、複数の言い回しを含む。本発明における「含む」、「有する」などの用語は、明細書に記載されている特徴、数字、ステップ、動作、構成要素、部品またはそれらの組み合わせが存在することを示すためのものであり、１つまたはそれ以上の他の特徴、数字、ステップ、動作、構成要素、部品またはそれらの組み合わせの存在または付加可能性を予め排除するものではない。
【００２９】
以下、添付図面を参照し、本発明の実施形態について詳細に説明する。
【００３０】
図３は、本発明の一実施形態による半中空型アクチュエータモジュール１の斜視図であり、図４は、本発明の一実施形態による半中空型アクチュエータモジュール１の側面図である。
【００３１】
本発明の一実施形態による半中空型アクチュエータモジュール１は、第１のハウジング１０と、第２のハウジング２０とを含む。
【００３２】
ここで、アクチュエータ（ａｃｔｕａｔｏｒ）は、動力を用いて機械又は器具を動作させる装置であり、主に電気モータを用いて実現される。半中空型アクチュエータモジュール１は、駆動部としてのモータと共に、減速機及びそれらの制御回路を内蔵して構成される。
【００３３】
第１のハウジング１０と第２のハウジング２０をまとめてハウジングというが、このようなハウジングは、半中空型アクチュエータモジュール１の外郭又は外形を構成し、その内部にあるモータ、減速機、制御回路を保護する構成要素である。ハウジングには、他のアクチュエータモジュールと直接結合するための構造や、他のアクチュエータモジュールに連結するためのモジュール連結部材に結合するための構造が形成されてもよい。他のアクチュエータモジュールは、本願発明の半中空型アクチュエータモジュール１であってもよく、他の構造のアクチュエータモジュールであってもよい。
【００３４】
第１のハウジング１０には、モータ（図示せず）に結合される駆動側（ａｃｔｉｖｅ）シャフト３０が貫通結合されてもよい（図４を参照）。すなわち、半中空型アクチュエータモジュール１に内蔵されるモータから駆動力を受けたシャフト３０が第１のハウジング１０の一面に設けられる。このシャフト３０には、外部部材に連結できる構造、例えば、結合溝やホーン構造が一体又は分離可能に設けられてもよい。アクチュエータモータとシャフト３０との間には減速機が備えられてもよい。
【００３５】
第１のハウジング１０は、一体に形成されてもよく、それとは異なり、分離可能なサブハウジングから構成されてもよい。例えば、同図に示すように、第１のハウジング１０は、第１のサブハウジング１１と、第２のサブハウジング１２とを含んでもよい。第１のサブハウジング１１内には、例えば減速機が内蔵されてもよく、第２のサブハウジング１２内には、例えばモータが内蔵されてもよく、このような第１のハウジング１０の分離型構造により、さらに効率的に内部空間を区画することができ、組立及び分離を容易に行うことができる。
【００３６】
一方、第１のハウジング１０の側面には、端子部１３が備えられてもよい。端子部１３には、ケーブル１００が電気的に接続されてもよく（図６を参照）、ケーブル１００と端子部１３を介して半中空型アクチュエータモジュール１に内蔵されるモータに電流を供給することもでき、半中空型アクチュエータモジュール１に内蔵される制御回路と電気的に信号をやり取りすることもできる。ここで送受信される信号は、モータの駆動のための制御信号や、半中空型アクチュエータモジュール１に内蔵されるセンサからの検知信号などであってもよい。ケーブル１００の端部にはコネクタ１１０が設けられ、このコネクタ１１０が端子部１３に結合されてもよい（図６を参照）。
【００３７】
端子部１３は、第１のハウジング１０の両側面にそれぞれ備えられてもよいが、この場合も配線連結の利便性に応じて、どちらか一側面の端子部１３のみを用いてもよい。
【００３８】
また、第１のハウジング１０の外面、すなわち第１のハウジング１０の側面、上面、下面の少なくとも１つの面には、他のアクチュエータモジュールやモジュール連結部材に結合するための第１の結合溝１４、１５が形成されてもよい。第１の結合溝１４、１５内には、ナット部が内周面に沿って形成されてもよい。同図に示すように、第１のハウジング１０及び第２のハウジング２０の外面は、ほぼ平面に形成されてもよく、第１の結合溝１４、１５を介して他のアクチュエータモジュールやモジュール連結部材にネジ（ボルト）結合することができる。
【００３９】
第２のハウジング２０は、第１のハウジング１０に結合される。第２のハウジング２０は、第１のハウジング１０の他面、すなわちシャフト３０が貫通設置された面の反対面に結合されてもよい。
【００４０】
第１のハウジング１０と第２のハウジング２０は、ボルトＢにより結合されてもよく、このようなボルトＢは、第２のハウジング２０の一面に備えられる複数のボルト孔から挿入されて第１のハウジング１０の内側面に形成されるナット部に結合されてもよい。第１のハウジング１０と第２のハウジング２０の結合方式として、その他の方式、例えば凹凸構造などによる嵌め合わせ方式、その他の構造的方式、接着方式など、いかなる方式を用いてもよいことは言うまでもない。
【００４１】
第２のハウジング２０には、駆動側シャフト３０に対応する位置に装着部２１が形成されてもよく（図５を参照）、装着部２１には、アイドラ部４０が装着されてもよい。装着部２１は、アイドラ部４０と同じ形状に形成されるので、アイドラ部４０の離脱を防止することができる。
【００４２】
アイドラ部４０は、被動側（ｐａｓｓｉｖｅ）アイドラ４１と、アイドラ４１を第２のハウジング２０に回転可能に結合する結合部材４２とを含む。アイドラ４１は、円板状に形成され、中心部には中空部４１３が形成される（図５を参照）。ここで、中空部４１３は、半中空状に形成されてもよい。結合部材４２は、アイドラ４１の中空部４１３に挿入され、第２のハウジング２０に結合されてもよい。結合部材４２と第２のハウジング２０の結合は、ボルト５０が結合部材４２の中心部に形成される中空部４２４から挿入され、第２のハウジング２０の内側面に形成されるナット部に結合されるようにしてもよい。結合部材４２の最大直径は、アイドラ４１の中空部４１３の最大直径よりも大きく形成され、アイドラ４１は、アイドラ４１の中空部４１３に挿入されて第２のハウジング２０に結合される結合部材４２により、第２のハウジング２０に回転可能に配置されてもよい。
【００４３】
すなわち、第２のハウジング２０の一面には、駆動側シャフト３０と同軸位置に装着部２１が形成され、装着部２１にアイドラ４１が回転可能に配置されてもよい。
【００４４】
アイドラ４１は、半中空型アクチュエータモジュール１に内蔵されるモータから駆動力が伝達されるのではなく、単に駆動側シャフト３０が他部材に駆動力を伝達する際に他部材を支持する役割を果たす。
【００４５】
図７に示すように、半中空型アクチュエータモジュール１が他部材、すなわちモジュール連結部材２００に連結されると、アイドラ４１がモジュール連結部材２００を支持することになるが、その詳細については後述する。
【００４６】
第２のハウジング２０の側面には、貫通部２２が備えられてもよい。貫通部２２を介して、端子部１３に接続されるケーブル１００が第２のハウジング２０の内側に通されてもよい。一方、貫通部２２を使用しない場合は、貫通部２２からハウジングの内側に異物などが流入することがあるので、貫通部２２を遮蔽するカバー部材（図示せず）が貫通部２２に備えられてもよい。また、カバー部材を第２のハウジング２０から除去すると貫通部２２が形成されるようにしてもよい。
【００４７】
第２のハウジング２０の前面には、第２の結合溝２４が備えられてもよい。第２の結合溝２４は、第１の結合溝１４、１５と同様に、他のアクチュエータモジュールやモジュール連結部材に結合するためのものである。また、第２の結合溝２４内には、内周面に沿ってナット部が備えられてもよい。
【００４８】
図５は、本発明の一実施形態による半中空型アクチュエータモジュール１の分解斜視図であり、図６は、本発明の一実施形態による半中空型アクチュエータモジュール１にケーブル１００を接続した状態を示す斜視図である。
【００４９】
同図に示すように、第１のハウジング１０には、駆動側シャフト３０を設けるための第１の中空部１６が設けられ、第２のハウジング２０には、第１のハウジング１０の第１の中空部１６に対応する位置に、アイドラ部４０を設けるための装着部２１が備えられる。それによって、駆動側シャフト３０とアイドラ４１は同軸上に備えられてもよい。
【００５０】
ここで、アイドラ４１は、中心部に中空部４１３が形成される円板４１１と、円板４１１の内周面から垂直に延びて形成される係止突起４１２とを含む。ここで、円板４１１には、結合孔４１４が形成されてもよい。結合孔４１４には、他のアクチュエータモジュール又はモジュール連結部材が固定結合されてもよい。
【００５１】
結合部材４２は、長手方向に中空部４２４が形成され、中心部に向かって陥没して形成される貫通溝４２１を外周面に有し、第２のハウジング２０に結合される円筒４２２と、貫通溝４２１が形成される領域を除く円筒４２２の一端から垂直に延びる離脱防止段差４２３とを含む。結合部材４２は、アイドラ４１の回転に伴って回転するわけではないので、貫通溝４２１を貫通するケーブル１００もアイドラ４１の回転に影響されない。
【００５２】
装着部２１には、アイドラ部結合溝２１１が備えられてもよく、アイドラ部結合溝２１１には、内周面に沿ってナット部が形成されてもよい。よって、結合部材４２は、ボルト５０によりアイドラ部結合溝２１１に結合されてもよい。
【００５３】
第２のハウジング２０は、貫通溝４２１に対応する位置に、移動溝２３が形成されてもよい。移動溝２３は、貫通溝４２１を貫通したケーブル１００の移動を案内する溝であり、貫通溝４２１と同じ形状に形成されてもよい。ケーブル１００は、貫通溝４２１及び移動溝２３を介して第２のハウジング２０の内部に通されるので、アイドラ４１が回動しても、ケーブル１００は、アイドラ４１に伴って回転するわけではなく、絡まない。
【００５４】
第２のハウジング２０は、上段部２０１と、下段部２０３と、それらの間に備えられる上下段連結部２０２とを含む。上段部２０１の前面には、アイドラ部４０を結合できる装着部２１、及びケーブル１００を移動させる移動溝２３が形成されてもよく、下段部２０３は、上段部２０１と実質的に同じ高さになるように形成されてもよい。上下段連結部２０２は、上段部２０１と下段部２０３との間に備えられ、内側に向かって凹状に形成されてもよい。本発明の実施形態によれば、上下段連結部２０２には、カバー部６０が結合されてもよい。それについては、図８を参照して後述する。
【００５５】
結合部材４２の貫通溝４２１及び第２のハウジング２０の移動溝２３を介してハウジング内に通されたケーブル１００は、第２のハウジング２０の側面に形成される貫通部２２を介して、第１のハウジング１０に備えられる端子部１３に電気的に接続されてもよい。すなわち、ケーブル１００の端部のコネクタ１１０が端子部１３に結合されてもよいが、コネクタ結合の構造は公知であるので詳細な説明は省略する。
【００５６】
貫通溝４２１及び移動溝２３を介してケーブル１００がハウジングの内部に通されると、ケーブル１００がアイドラ４１の回転駆動に影響されないので、断線が防止され、ケーブル１００の絡みも発生しない。すなわち、本発明の配線（ケーブル）接続構造により、配線を効果的にハウジングの外側に通すことができる。
【００５７】
図７は、本発明の一実施形態による半中空型アクチュエータモジュール１とモジュール連結部材２００を結合した状態を示す斜視図である。
【００５８】
モジュール連結部材２００は、本体部２１０と、本体部２１０の両側面に垂直に設けられる第１の垂直部２２０及び第２の垂直部２３０とを含んでもよい。第１の垂直部２２０は、第２の中空部２２１と、第２の中空部２２１の周囲に沿って形成されるネジ穴２２２とを含んでもよい。ネジ穴２２２とアイドラ４１の結合孔４１４は、ボルトで結合されてもよい。図７には示していないが、第２の垂直部２３０は、第１の垂直部２２０と同様に、中空部及びネジ穴が備えられてもよく、駆動側シャフト３０に結合されてもよい。
【００５９】
半中空型アクチュエータモジュール１がモジュール連結部材２００に結合される場合も、ケーブル１００は、結合部材４２の貫通溝４２１及びモジュール連結部材２００の第２の中空部２２１を介して、半中空型アクチュエータモジュール１の内部に通されてもよい。よって、半中空型アクチュエータモジュール１の駆動に伴ってモジュール連結部材２００が回転動作しても、ケーブル１００が絡まない。また、ケーブル１００によりモジュール連結部材２００の回転動作が妨げられることもない。ケーブル１００を接続した後にケーブル１００が容易に抜けないようにし、整頓された外観を保つために、カバー部６０を結合してもよい。
【００６０】
図８は、本発明の一実施形態による半中空型アクチュエータモジュール１とカバー部６０を示す分解斜視図であり、図９は、本発明の一実施形態による半中空型アクチュエータモジュール１とカバー部６０を結合した状態を示す斜視図である。
【００６１】
同図に示すように、カバー部６０は、第２のハウジング２０の上下段連結部２０２の周辺に結合されて設けられ、第２のハウジング２０の外面の一部を形成する。カバー部６０は、長方形状のカバー本体６１と、カバー本体６１の各コーナーから垂直に突出するように設けられた側面突出部６２とを含む。突出部６２は、コネクタ１１０と第２のハウジングとの間の空間に嵌合されてもよい。
【００６２】
カバー部６０が第２のハウジング２０に結合されると、カバー部６０の側面突出部６２は、端子部１３に接続されるケーブル１００の端部のコネクタ１１０と接するようになり、それにより、コネクタ１１０は、端子部１３からの脱落が防止される。また、カバー部６０が結合された半中空型アクチュエータモジュール１は、ハウジングの内部が完全に外部と遮断されているので、内部に流入する異物による誤作動が防止される。
【００６３】
端子部１３に接続されるケーブル１００は、第２のハウジング２０の移動溝２３及び結合部材４２の貫通溝４２１を介して外部に通されてもよく、図８及び図９に示すように、カバー部６０の内側を介して外部に通されてもよい。本発明による半中空型アクチュエータモジュール１のハウジング構造により、ユーザは、半中空型アクチュエータモジュール１の配線をアイドラ部４０及び第２のハウジング２０の貫通部２２を経てハウジングの内部に通すことができるようになり、それによって配線の絡みや断線問題が予防され、通信不良の問題が減少するだけでなく、半中空型アクチュエータモジュール１の外観の審美性が向上する。特に、半中空型アクチュエータモジュール１に他のアクチュエータモジュール又はモジュール連結部材２００を結合して多関節ロボットを作製する場合に、このような配線処理により設計の自由度が高まり、円滑にアクチュエータを駆動することができる。
【００６４】
前述した本発明の説明は例示のためのものであり、本発明の属する技術分野における通常の知識を有する者であれば、本発明の技術的思想や必須の特徴を変更することなく、他の具体的な形態に容易に変形できることを理解するであろう。よって、前述の実施形態はあくまで例示的なものであり、限定的なものでないことを理解すべきである。例えば、単一型で説明された各構成要素を分散して実施してもよく、同様に分散したものと説明された構成要素を結合された形態に実施してもよい。
【００６５】
本発明の範囲は、添付の特許請求の範囲により示され、特許請求の範囲の意味及び範囲、並びにその均等概念から導かれるあらゆる変更または変形された形態も本発明に含まれるものと解釈すべきである。
【実施例】
【００６６】
実施例は、前述した発明を実施するための形態に共に記載されている。
【産業上の利用可能性】
【００６７】
本発明の半中空型アクチュエータモジュールによれば、アクチュエータモジュールの配線処理問題を解決できる新規なモジュール構造を提供することにより、配線の絡みや断線問題が予防され、さらに通信不良の問題も減少する。
【図１】
0006872267.tif 000002
【図２】
0006872267.tif 000003
【図３】
0006872267.tif 000004
【図４】
0006872267.tif 000005
【図５】
0006872267.tif 000006
【図６】
0006872267.tif 000007
【図７】
0006872267.tif 000008
【図８】
0006872267.tif 000009
【図９】
0006872267.tif 000010